(57)【要約】【課題】被検体の表皮温度の変化を的確に把握して睡眠状態を正確に検出すること。【解決手段】睡眠状態検出システムは、被検体の表皮温度を検出するセンサユニット２と、センサユニット２により検出されたセンシング信号に基づいて被検体の睡眠状態を検出するセンタ装置１とから構成される。センタ装置１は、センシング信号の極大と極小を検出して当該極大値と極小値の差分を算出し、差分が所定の閾値を超えているか否かを判定する温度データ挙動判定処理部１１３と、差分が所定の閾値を超えると判断された場合における極大と極小の発生回数に基づいて被検体の睡眠状態を判定する睡眠状態判定部１１４とを具備する。【選択図】      図６
2006230790.tif 000002
【特許請求の範囲】
【請求項１】
被検体の体表面の所定の箇所に装着されたセンサユニットと、このセンサユニットと通信可能に接続され、前記センサユニットからのセンシング信号に基づいて前記被検体の睡眠状態を検出するセンタ装置と、を具備し、
前記センサユニットは、
該被検体の表皮温度を検出する温度センサと、
前記温度センサにより取得された温度データをセンシング信号として送信する送信部と、を具備し、
前記センタ装置は、
前記センサユニットから送信されたセンシング信号を受信する受信部と、
前記受信部を介して受信したセンシング信号の極大と極小を検出する極大極小検出部と、
前記検出された極大値と極小値の差分を算出する差分算出部と、
前記算出された極大値と極小値間の差分に基づいて、前記被検体の睡眠状態を判定する睡眠状態判定部と、
を具備することを特徴とする睡眠状態検出システム。
【請求項２】
前記極大値と極小値間の差分が所定の閾値を超えているか否かを判定する閾値判定部をさらに具備し、
前記睡眠状態判定部は、前記差分が所定の閾値を超えると判断された場合における極大と極小の発生回数に基づいて前記被検体の睡眠状態を判定することを特徴とする睡眠状態検出システム。
【請求項３】
前記センサユニットは、前記センタ装置からの指令に基づいて制御されることを特徴とする請求項１または２に記載の睡眠状態検出システム。
【請求項４】
被検体の体表面の所定の箇所に装着され、該被検体の表皮温度をセンシング信号として検出する温度センサと、
前記温度センサにより得られたセンシング信号の極大と極小を検出する極大極小検出部と、
前記検出された極大値と極小値の差分を算出する差分算出部と、
前記算出された極大値と極小値間の差分に基づいて、前記被検体の睡眠状態を判定する睡眠状態判定部と、
を具備することを特徴とする睡眠状態検出装置。
【請求項５】
前記極大値と極小値間の差分が所定の閾値を超えているか否かを判定する閾値判定部をさらに具備し、
前記睡眠状態判定部は、前記差分が所定の閾値を超えると判断された場合における極大と極小の発生回数に基づいて前記被検体の睡眠状態を判定することを特徴とする請求項４に記載の睡眠状態検出装置。
【請求項６】
被検体の体表面の所定の箇所に装着され、該被検体の動きに伴って生ずる加速度を検出する加速度センサと、前記加速度センサにより検出されたセンシング信号を蓄積するセンシング信号蓄積部と、を備えたセンサユニットと、
前記センサユニットとは別個に設けられたセンタ装置であって、前記センシング信号蓄積部に蓄積されたセンシング信号を取り込んで、当該センシング信号の極大と極小を検出する極大極小検出部と、
前記検出された極大値と極小値の差分を算出する差分算出部と、
前記算出された極大値と極小値間の差分に基づいて、前記被検体の睡眠状態を判定する睡眠状態判定部と、
を具備することを特徴とする睡眠状態検出装置。
【発明の詳細な説明】
【技術分野】
【０００１】
本発明は、温度センサを用いて被検体の睡眠状態を検出する睡眠状態検出システム及び睡眠状態検出装置に関するものである。
【背景技術】
【０００２】
被検体の睡眠状態を把握するために、被検体の体表面の所定の箇所にセンサを装着し、このセンサからの出力信号に所定の演算を行なって人体の睡眠状態を判定する装置が従来より知られている。例えば、特開平６−７０８８９号公報は、額部の表面に装着されるセンサ部の出力により額部の温度を検出し、検出した温度に演算を加えた結果により睡眠状態を判定する睡眠状態モニター装置を開示している。また、特開２００４−１８７９６１号公報は、被検体の額部に装着して眼球運動を計測する第１の計測手段と、該第１の計測手段と一体化されてなり、第１の計測手段への外乱の大きさの情報を計測する加速度センサ等の第２の計測手段とを備え、外乱の大きさの情報が所定の閾値を超えた場合に眼球電位の情報を修正する睡眠状態検出装置を開示している。
【特許文献１】特開平６−７０８８９号公報
【特許文献２】特開２００４−１８７９６１号公報
【発明の開示】
【発明が解決しようとする課題】
【０００３】
上記した従来の技術はセンサを用いて人の睡眠状態を判定することを開示しているが、被検体の表皮温度の変化を的確に把握して睡眠状態を正確に検出することを目的としたものではなかった。
【０００４】
本発明は、このような課題に着目してなされたものであり、その目的とするところは、簡単な構成で被検体の睡眠状態を的確に把握することが可能な睡眠状態検出システム及び睡眠状態検出装置を提供することにある。
【課題を解決するための手段】
【０００５】
上記の目的を達成するために、本発明の第１の態様は、睡眠状態検出システムであって、被検体の体表面の所定の箇所に装着されたセンサユニットと、このセンサユニットと通信可能に接続され、前記センサユニットからのセンシング信号に基づいて前記被検体の睡眠状態を検出するセンタ装置と、を具備し、前記センサユニットは、該被検体の表皮温度を検出する温度センサと、前記温度センサにより取得された温度データをセンシング信号として送信する送信部と、を具備し、前記センタ装置は、前記センサユニットから送信されたセンシング信号を受信する受信部と、前記受信部を介して受信したセンシング信号の極大と極小を検出する極大極小検出部と、前記検出された極大値と極小値の差分を算出する差分算出部と、前記算出された極大値と極小値間の差分に基づいて、前記被検体の睡眠状態を判定する睡眠状態判定部と、を具備する。
【０００６】
また、本発明の第２の態様は、第１の態様において、前記極大値と極小値間の差分が所定の閾値を超えているか否かを判定する閾値判定部をさらに具備し、前記睡眠状態判定部は、前記差分が所定の閾値を超えると判断された場合における極大と極小の発生回数に基づいて前記被検体の睡眠状態を判定する。
【０００７】
また、本発明の第３の態様は、第１または第２の態様において、前記センサユニットは、前記センタ装置からの指令に基づいて制御される。
【０００８】
また、本発明の第４の態様は、睡眠状態判定装置であって、被検体の体表面の所定の箇所に装着され、該被検体の表皮温度をセンシング信号として検出する温度センサと、前記温度センサにより得られたセンシング信号の極大と極小を検出する極大極小検出部と、前記検出された極大値と極小値の差分を算出する差分算出部と、前記算出された極大値と極小値間の差分に基づいて、前記被検体の睡眠状態を判定する睡眠状態判定部と、を具備する。
【０００９】
また、本発明の第５の態様は、第４の態様において、前記極大値と極小値間の差分が所定の閾値を超えているか否かを判定する閾値判定部をさらに具備し、前記睡眠状態判定部は、前記差分が所定の閾値を超えると判断された場合における極大と極小の発生回数に基づいて前記被検体の睡眠状態を判定する。
【００１０】
また、本発明の第６の態様は、睡眠状態判定装置であって、被検体の体表面の所定の箇所に装着され、該被検体の動きに伴って生ずる加速度を検出する加速度センサと、前記加速度センサにより検出されたセンシング信号を蓄積するセンシング信号蓄積部と、を備えたセンサユニットと、前記センサユニットとは別個に設けられたセンタ装置であって、前記センシング信号蓄積部に蓄積されたセンシング信号を取り込んで、当該センシング信号の極大と極小を検出する極大極小検出部と、前記検出された極大値と極小値の差分を算出する差分算出部と、前記算出された極大値と極小値間の差分に基づいて、前記被検体の睡眠状態を判定する睡眠状態判定部と、を具備する。
【発明の効果】
【００１１】
本発明によれば、被検体の表皮温度の変化を的確に把握することができ、これによって被検体の睡眠状態を正確に検出することが可能になる。
【発明を実施するための最良の形態】
【００１２】
以下、本発明の実施の形態を図面を参照して詳細に説明する。
【００１３】
（第１実施形態）
図１は、本発明の第１実施形態にかかる睡眠状態検出システムの概略構成を示す図である。本実施形態において「睡眠状態」とは、被検体が睡眠をとる意思で横たわっている状態を意味し、実際に睡眠中にある場合のみならず、寝つかれなくて横たわっている場合も含むものとする。
【００１４】
センサユニット２はモジュール化されており、監視対象としての被検体４の体表面の所定の箇所（ここでは右胸）に装着される。装着の一例としてここではアクリル系の両面接着テープ等により接着貼付される。アクリル系両面接着テープは、被検体４の皮膚にかぶれ等の炎症が起きにくい、センサユニット２を被検体４からはがした時にセンサユニット２や被検体４の表面に接着のりが付着しにくい、接着層を薄くできるなどの利点を有する。
【００１５】
センサユニット２は後述する温度センサを備えており、この温度センサにより睡眠状態にある被検体４の表皮温度を検出する。温度センサにより取得された温度データはセンシング信号として無線ネットワーク３を介して、医療施設や介護施設などに設置されるセンタ装置１に送信される。
【００１６】
ここで、無線ネットワーク３としては、例えばＢＴ(BlueTooth)(登録商標)等の近距離データ通信システムや、無線ＬＡＮ(Local  Area  Network)、ＰＨＳ(Personal  Handyphone  System)(登録商標)、携帯電話システム等が使用される。
【００１７】
なお、センタ装置１とセンサユニット２との間は必ずしも直接接続する必要はなく、無線中継器を介して接続するようにしてもよい。この場合、センサユニット２と無線中継器との問の無線通信方式としてはＢＴや無線ＬＡＮ等の微弱又は小電力型の方式が、一方、無線中継器とセンタ装置１との問の無線通信方式として携帯電話システム等の長距離通信が可能な方式がそれぞれ使用される。
【００１８】
センタ装置１は、アンテナ部１１と、信号分配部１２と、受信部１３と、送信部１４と、センサデータ収集処理部１５と、センサ制御部１６とから構成される。アンテナ部１１は、センサ制御部１６からの制御信号を送信する送信アンテナ機能と、センサユニット２からのセンシング信号を受信する受信アンテナ機能とを有し、この機能の切替はアンテナ部１１に接続されたサーキュレータ等の信号分配部１２により行われる。
【００１９】
受信部１３は、センサユニット２から無線ネットワーク３、アンテナ部１１を介して送信された無線信号を受信したのち復調し、この復調により得られるセンシング信号をセンサデータ収集処理部１５へ出力する。送信部１４は、センサ制御部１６から出力された制御信号を変調したのち無線信号に変換し、この無線信号をアンテナ部１１からセンサユニット２に向けて送信する。
【００２０】
センサ制御部１６は、例えばＣＰＵ(Central  Processing  Unit)やＤＳＰ(Digital  Signal  Processor)を備えたもので、センサユニット２によるセンシング開始やセンシング周期に関する指令を含む制御信号を出力する。
【００２１】
センサデータ収集処理部１５は、センサユニット２から送信されたセンシング信号から後述する手順により被検体４が寝返りを打った回数を求め、被検体４の睡眠状態を判定する部分であるが、詳細な機能については後述する。
【００２２】
図２は、ベッド５に仰向けに横たわって睡眠状態にある被検体４を示しており、被検体４の右胸にはセンサユニット２が貼付されている。この状態においてセンサユニット２の本体部は水平状態に維持される。ここでのセンサユニット２は温度センサを備え、被検体４の表皮温度が継続的に計測される。
【００２３】
図３はセンサユニット２の概略構成を示しており、アンテナ部２１と、センシング信号送信部２２と、センサ駆動信号受信部２３と、センサ駆動制御部２４と、センサ本体２５と、バッテリ２６とを備えている。図４は、図３に示すセンサユニット２のセンサ本体２５とセンサ駆動制御部２４の構成を示し、図５は、図３に示すセンサユニット２のセンシング信号送信部２２とセンサ駆動信号受信部２３の構成を示している。
【００２４】
図４に示すように、センサ本体２５は被検体４の表皮温度を検出する温度センサ２５１を備えている。また、センサ駆動制御部２４は、中央処理装置（ＣＰＵ）２４３と、記憶部２４２と、クロック信号発生部２４５と、ＡＤ変換部２４１と、サーバ・プログラミング・インターフェース（ＳＰＩ）２４４とを備えている。
【００２５】
クロック信号発生部２４５は、ＣＰＵ２４３のクロック制御信号に基づいて所定周期のクロック信号を発生する。記憶部２４２は、ＣＰＵ２４３により実行されるプログラムを記憶している。ＣＰＵ２４３は、センサ本体２５の温度センサ２５１を始めとして、図３のセンシング信号送信部２２、センサ駆動信号受信部２３を駆動制御するもので、上述したセンタ装置１から送られてくるセンシング開始やセンシング周期等の指令の内容を図示せぬメモリに記憶する。そして、以後この保存された指令と記憶部２４２に記憶された設定データに基づいてクロック制御信号を生成してクロック信号発生部２４５に出力する。クロック信号発生部２４５より発生されるクロック信号により、駆動信号として、センシング開始及びセンシング周期に関する信号を生成する。
【００２６】
ＡＤ変換部２４１は、ＣＰＵ２４３からの制御信号により駆動される温度センサ２５１からの検出データをデジタル信号に変換するもので、ＣＰＵ２４３よりＳＰＩ２４４を介してセンシング信号として出力する。
【００２７】
なお、ＣＰＵ２４３から温度センサ２５１に供給する駆動信号としてはスタンバイ信号が用いられる。温度センサ２５１は、スタンバイ信号が“Ｈ”レベルになるとセンシングを行う動作状態となり、”Ｌ“レベルになると非動作状態、つまり電力消費量の少ないスタンバイ状態となる。
【００２８】
バッテリ２６は、例えばボタン型リチウム電池からなるもので、このバッテリ２６から発生するＤＣ電圧を、センサ本体２５、センサ駆動制御部２４、センシング信号送信部２２およびセンサ駆動信号受信部２３に駆動電源として供給するようになっている。
【００２９】
また、図５に示すように、センシング信号送信部２２は、ＳＰＩ２２１と、デジタル信号制御部２２２と、信号変調部２２３と、混合部２２４と、電力増幅部２２５と、送受信信号分配部２２６とを備えている。また、センサ駆動信号受信部２３は、水晶発振器２３２と、位相安定化回路２３４と、電圧制御形発振器２３６と、低雑音増幅部２３８と、混合部２３７と、信号復調部２３５と、デジタル信号制御部２３３と、ＳＰＩ２３１とを備えている。
【００３０】
センシング信号送信部２２は、センサ駆動制御部２４からのセンシング信号をＳＰＩ２２１を介してデジタル信号制御部２２２に取り込み、さらに信号変調部２２３でデジタル変調、例えばＱＰＳＫ（Quadrature  Phase  Shift  Keying）変調し、混合部２２４を介して所定のフォーマットに変換してセンシングデータを作成し、この作成されたセンシングデータを電力増幅部２２５で電力増幅し、送受信信号分配部２２６よりアンテナ部２１を介して、センタ装置１に向け送信させる。
【００３１】
一方、センサ駆動信号受信部２３は、センタ装置１から送られた無線信号をアンテナ部２１で受信すると、送受信信号分配部２２６、低雑音増幅部２３８を介して混合部２３７に取り込む。ここで無線信号を電圧制御形発振器２３６の出力と混合した所定周波数に変換した後、信号復調部２３５でデジタル復調し、このデジタル復調により得られた制御信号をデジタル信号制御部２３３よりＳＰＩ２３１を介してセンサ駆動制御部２４に供給する。
【００３２】
図６は、センタ装置１において、特にセンサデータ収集処理部１５の構成を示す図であり、温度データ記憶部１１１と、データ平均化処理部１１２と、温度データ挙動判定処理部１１３と、睡眠状態判定部１１４とから構成される。ここで、温度データ挙動判定処理部１１３は、受信したセンシング信号の極大と極小を検出する極大極小検出部と、検出された極大値と極小値の差分を算出する差分算出部と、極大値と極小値間の差分が所定の閾値を超えているか否かを判定する閾値判定部としての機能を備えている。
【００３３】
以下に、センサデータ収集処理部１５の動作を図７のフローチャートを参照して説明する。ここでは、被検体４の表皮温度の変化を検出することが目的なので、センタ装置１は、被検体４が睡眠状態に入ったときから覚醒に至るまでの間、センサユニット２からのセンシング信号を継続して受信するものとする。
【００３４】
まず、被検体４の寝返りの回数を表わす変数Ｎに０を代入する（ステップＳ１）。次に、受信部１３から温度データとしてのセンシング信号を受信したならば、この温度データを温度データ記憶部１１１にいったん記憶する。次に、記憶されている温度データを適宜読み出し、データ平均化処理部１１２において移動平均などの手法によりデータの平均化を行う（ステップＳ２）。なお、ここでの平均化処理は不要な成分を除外するために行われるものであり、睡眠状態の検出に必須の処理ではない。
【００３５】
次に、極大極小検出部では、平均化された温度データを取り込んで当該温度データが極大か極小かを判断する（ステップＳ３）。ここで、極大及び極小のいずれかが検出されるまではステップＳ２の処理を繰り返し実行する。そして、ステップＳ３において極大が検出されたならばステップＳ４に進んで当該極大値を図示せぬメモリに記憶する。ステップＳ４の後は、ステップＳ２と同様の処理、すなわち、温度データの受信、記憶、平均化処理を実行する（ステップＳ５）。次に、平均化された温度データが極小であるか否かを判断し（ステップＳ６）、極小でない場合にはステップＳ５に戻って温度データの受信、記憶、平均化処理を実行し、ステップＳ６において温度データが極小か否かを再度判断する。ステップＳ５、Ｓ６の処理を繰返して行い、ステップＳ６において極小であると判断されたときに当該極小値を図示せぬメモリに記憶する（ステップＳ７）。
【００３６】
次に、差分算出部において、ステップＳ４で記憶した極大値と、ステップＳ７で記憶した極小値とを比較して両者の差分を求め、閾値判定部において当該差分が閾値を超えているか否かを判断する（ステップＳ８）。ここでの判断がＹＥＳの場合には変数Ｎを２インクリメントし（ステップＳ９）、その後、ステップＳ２に戻る。ここで、変数Ｎを２インクリメントするのは、極大値と極小値との両方を寝返り回数に含めるためである。ステップＳ８での判断がＮＯの場合には直ちにステップＳ２に戻る。
【００３７】
一方、ステップＳ３において極小が検出された場合には、ステップＳ１０に進んで当該極小値を図示せぬメモリに記憶する。ステップＳ１０の後は、ステップＳ２と同様の処理、すなわち、温度データの受信、記憶、平均化処理を実行する（ステップＳ１１）。次に、平均化された温度データが極大であるか否かを判断し（ステップＳ１２）、極大でない場合にはステップＳ１１に戻って温度データの受信、記憶、平均化処理を実行し、ステップＳ１２において温度データが極大か否かを再度判断する。ステップＳ１１、Ｓ１２の処理を繰返して行い、ステップＳ１２において極大であると判断されたときに当該極大値を図示せぬメモリに記憶する（ステップＳ１３）。
【００３８】
次に、差分算出部において、ステップＳ１０で記憶した極大値と、ステップＳ１３で記憶した極小値とを比較して両者の差分を求め、閾値判定部において当該差分が閾値を超えているか否かを判断する（ステップＳ１４）。ここでの判断がＹＥＳの場合には変数Ｎを２インクリメントし（ステップＳ１５）、その後、ステップＳ２に戻る。また、ステップＳ１４での判断がＮＯの場合には直ちにステップＳ２に戻る。温度データ挙動判定処理部１１３は、センサユニット２からの温度データの受信を終了した後の変数Ｎの値を調べることにより、被検体４が睡眠中に何回寝返りを打ったかを検出することができる。
【００３９】
睡眠状態判定部１１４は、温度データ挙動判定処理部１１３にて検出された寝返りの回数に基づいて被検体４の睡眠状態を判定する。睡眠状態判定部１１４では、例えば寝返りの回数が多い場合に被検体４の睡眠状態が良くないと判定することができる。
【００４０】
図８は、被検体４が睡眠状態に入ったときから覚醒に至るまでにセンサユニット２から送られてきたセンシング信号をグラフに表わした図であり、縦軸は表皮温度（℃）、横軸は時間（任意目盛）である。このグラフは温度データに対する平均化処理を行った後のデータを示している。Ａ〜Ｇで示されている箇所は、上記の手順で検出された極大あるいは極小の中で極大値あるいは極小値の差異が閾値を超えることにより寝返りを打ったと判定された部分である。これらの箇所は、例えばビデオカメラ等の撮影の結果、被検体４が実際に寝返りを打ったと認められた時間帯とほぼ一致していることがわかった。
【００４１】
上記した実施形態によれば、被検体の表皮温度の変化を的確に把握することができ、これによって被検体の睡眠状態を正確に検出することが可能になる。
【００４２】
（第２実施形態）
以下に、本発明の第２実施形態を説明する。第１実施形態では、センシング開始のタイミングやセンシング周期はセンタ装置１からの指令により与えられたが、このような方法に限定されることはない。図９は、センシング開始のタイミングやセンシング周期に関する設定機能をセンサユニット２内のセンサ駆動制御部２４に設けた場合の実施形態を示している。この場合、センサ本体２５内の温度センサは、センサ駆動制御部２４からの指令に従って、センシング動作を開始し、検出された温度データはセンシング信号としてアンテナ部２１を介してセンタ装置１に送信される。このような構成によれば、センサユニット２内部のセンサ駆動信号受信部２３を省略することができる。さらに、センタ装置１内部の信号分配部１２、送信部１４、センサ制御部１６を省略することができる。
【００４３】
図１０は、本発明の第２実施形態の変形例の構成である。ここでは、センサ駆動制御部２４からの指定に基づいて温度センサにより検出された温度データはセンシングデータとしてセンシング信号蓄積部２７にいったん蓄積される。その後、センシングデータは記録媒体等に格納されてセンタ装置１に届けられる。このような構成によれば、センサユニット２内部のセンシング信号送信部２２及びセンサ駆動信号受信部２３を省略することができる。さらに、センタ装置１内部のアンテナ部１１、信号分配器１２、受信部１３、送信部１４、センサ制御部１６を省略することができる。
【００４４】
なお、上記した第１、第２実施形態では、温度センサにより検出されたセンシング信号を通信回線を介してセンタ装置に送信し、該センタ装置において、当該センシング信号に基づいて被検体の睡眠状態を検出するようにしたが、必ずしも通信回線を介した構成に限定されることはない。すなわち、被検体４からセンシング信号を取得する機能と、当該センシング信号に基づいて被検体４の睡眠状態を判定する機能とが睡眠状態検出装置として１つの筐体に収納されていてもよいし、２つの筐体に別々に収納されていてもよいことは勿論である。
【００４５】
その他、センタ装置１及びセンサユニット２の構成、センシング対象物の種類等についても、この発明の要旨を逸脱しない範囲で種々変形して実施できる。要するに本発明は、上記各実施形態そのままに限定されるものではなく、実施段階ではその要旨を逸脱しない範囲で構成要素を変形して具体化できる。
【００４６】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４７】
【図１】本発明の一実施形態形態にかかる睡眠状態検出システムの概略構成を示す図である。
【図２】ベッド５に仰向けに横たわって睡眠状態にある被検体４を示す図である。
【図３】センサユニット２の概略構成を示す図である。
【図４】図３に示すセンサユニット２のセンサ本体２５とセンサ駆動制御部２４の構成を示す図である。
【図５】図３に示すセンサユニット２におけるセンシング信号送信部２２とセンサ駆動信号受信部２３の概略構成を示す図である。
【図６】センタ装置１において、特にセンサデータ収集処理部１５の構成を示す図である。
【図７】センサデータ収集処理部１５の動作を説明するためのフローチャートである。
【図８】被検体４が睡眠状態に入ったときから覚醒に至るまでにセンサユニット２から送られてきたセンシング信号をグラフに表わした図である。
【図９】本発明の第２実施形態に係るセンサユニット２の構成を示す図である。
【図１０】本発明の第２実施形態の変形例に係るセンサユニット２の構成を示す図である。
【符号の説明】
【００４８】
１  センタ装置
２  センサユニット
３  無線ネットワーク
４  被検体
５  ベッド
１１  アンテナ部
１２  信号分配器
１３  受信部
１４  送信部
１５  センサデータ収集処理部
１６  センサ制御部
２１  アンテナ部
２２  センシング信号送信部、
２３  センサ駆動信号受信部
２４  センサ駆動制御部
２５  センサ本体
２６  バッテリ
１１１  温度データ記憶部
１１２  データ平均化処理部
１１３  温度データ挙動判定処理部
１１４  睡眠状態判定部
【図１】
2006230790.tif 000003
【図２】
2006230790.tif 000004
【図３】
2006230790.tif 000005
【図４】
2006230790.tif 000006
【図５】
2006230790.tif 000007
【図６】
2006230790.tif 000008
【図７】
2006230790.tif 000009
【図８】
2006230790.tif 000010
【図９】
2006230790.tif 000011
【図１０】
2006230790.tif 000012